(57)【要約】【課題】  現在すでに供用中のＩＣカードの改変を一切必要とせず、２台目以降の受信装置においても同時に適用可能な限定放送受信装置を提供する。【解決手段】  ジャンクション回路２６は、送受信インタフェース２５から入力される第１の限定受信情報或いはブリッジ端子２７から入力される他の受信装置からの第２の限定受信情報をＩＣカード端子２３を介して前記ＩＣカード１４に送信し、ＩＣカード１４からの第１の限定受信情報に対応する応答を、送受信インタフェース２５に送信し、ＩＣカード１４からの第２の限定受信情報に対応する応答を、ブリッジ端子２７を介して他の受信装置へ送信する。【選択図】  図３
2005079860.tif 000002
【特許請求の範囲】
【請求項１】
暗号化されたデータをデスクランブルするデスクランブラと、
前記デスクランブラと接続され、外部と送受信を行う送受信インタフェースと、
限定受信情報の処理を行うＩＣカードと相互に通信をするためのＩＣカード端子と、
前記送受信インタフェースと前記ＩＣカード端子との間に接続され、前記限定受信情報の送受信方向を制御するジャンクション回路と、
前記ジャンクション回路に接続され、前記限定受信情報を他の受信装置と相互に通信をするためのブリッジ端子とを具備し、
前記ジャンクション回路は、前記送受信インタフェースから入力される第１の限定受信情報或いは前記ブリッジ端子から入力される前記他の受信装置からの第２の限定受信情報を前記ＩＣカード端子を介して前記ＩＣカードに送信し、前記ＩＣカードからの前記第１の限定受信情報に対応する応答を、前記送受信インタフェースに送信し、前記ＩＣカードからの前記第２の限定受信情報に対応する応答を、前記ブリッジ端子を介して前記他の受信装置へ送信するように制御することを特徴とする放送受信装置。
【発明の詳細な説明】
【技術分野】
【０００１】
本発明は、放送受信装置に関する。
【背景技術】
【０００２】
現在、限定受信方式の放送システムにおいては、１つの受信契約で１つのＩＣカードを用いて１つの受信装置にのみ受信可能とするシステムであり、複数の受信機での同時受信を可能とすることはできない。これは不正受信行為の恐れがあるために放送局側が制限しているためである。受信装置とＩＣカードとが一対一の組み合わせによってのみ使用されることしか考えられておらず、複数の受信装置があっても、１つのＩＣカードに格納された複数の限定受信対象番組やチャネルの視聴契約内容を、２台目以降の受信装置が利用することはできない。
【０００３】
このような放送システムにおいては、複数チャネルを同時に視聴したい場合や裏番組を録画したい場合など、ＩＣカードが受信装置ごとに必要になり、更には同じ視聴契約をＩＣカードの枚数分だけ重複して締結し、視聴料を何重にも支払わねばならない。
【０００４】
このような事態は視聴契約者にとって、せっかく複数の番組やチャネルを視聴する権利を購入しているのに、それを不当に侵害されているともいえる。
【０００５】
この問題を解決するため、例えば特開平１０−１７８６２９のように１つの契約で、複数のＩＣカードを用意し、これら複数のＩＣカード自体に通信機能を持たせ、ＩＣカード間で直接通信して契約情報を共有化させて不正受信行為を防止する放送システムを提案している。
【０００６】
また、特開２００２−６４７９８のように複数のＩＣカードを受信装置から一旦切り離し、間に調停機能と、ＩＣカードと受信装置との間の認証機能とを持たせて通信させ、視聴契約情報のやりとりをしようとする方法が開示されている。
【０００７】
しかしながら特開平１０−１７８６２９においては、受信装置の改変だけにとどまらず少なくとも１枚は現在のＩＣカードとは異なる特殊なＩＣカードが必要となり、また現在すでに供用中のＩＣカードではその恩恵に与れないばかりか、この方式の実施例のいくつかにおいては、従来のＩＣカードとの併用もできない。
【０００８】
また、特開２００２−６４７９８の方法では、複数のＩＣカード間の契約が融通できる利点があるものの、そもそも各番組やチャネルごとの視聴契約は１契約者または１世帯について１つあれば充足される場合が大半であり、ＩＣカードを複数使用すること自体が無駄であると言える。
【特許文献１】特開平１０−１７８６２９号公報
【特許文献２】特開２００２−６４７９８号公報
【発明の開示】
【発明が解決しようとする課題】
【０００９】
本発明はかかる問題を解決するためになされたものであり、現在すでに供用中のＩＣカードの改変を一切必要とせず、受信装置においては主要部分の構成を変えず、またＩＣカードと複数の受信装置間での新たな認証作業も不要とし、１枚のＩＣカードに割り当てられた複数の限定受信対象番組やチャネルの視聴契約内容を、２台目以降の受信装置においても同時に適用可能な限定放送受信装置を提供することを目的とする。
【課題を解決するための手段】
【００１０】
上記目的を達成するために、本発明は、暗号化されたデータをデスクランブルするデスクランブラと、
前記デスクランブラと接続され、外部と送受信を行う送受信インタフェースと、
限定受信情報の処理を行うＩＣカードと相互に通信をするためのＩＣカード端子と、
前記送受信インタフェースと前記ＩＣカード端子との間に接続され、前記限定受信情報の送受信方向を制御するジャンクション回路と、
前記ジャンクション回路に接続され、前記限定受信情報を他の受信装置と相互に通信をするためのブリッジ端子とを具備し、
前記ジャンクション回路は、前記送受信インタフェースから入力される第１の限定受信情報或いは前記ブリッジ端子から入力される前記他の受信装置からの第２の限定受信情報を前記ＩＣカード端子を介して前記ＩＣカードに送信し、前記ＩＣカードからの前記第１の限定受信情報に対応する応答を、前記送受信インタフェースに送信し、前記ＩＣカードからの前記第２の限定受信情報に対応する応答を、前記ブリッジ端子を介して前記他の受信装置へ送信するように制御することを特徴とする放送受信装置を提供する。
【発明の効果】
【００１１】
当該受信装置の送受信インタフェースから送信される当該受信装置の限定受信情報またはブリッジ端子から送信される他の受信装置の限定受信情報とを、ＩＣカード端子を介して１つのＩＣカードに送信し、その限定受信情報を、対応する受信装置に送るようにしている。こうすることで１つのＩＣカードを用いて複数の受信装置で視聴が可能となる。もともと１つのＩＣカードを用いているので不正受信行為が行われる心配は無い。
【発明を実施するための最良の形態】
【００１２】
図１は、本発明装置の１実施例を説明するためのブロック図である。マスタ鍵（Ｋｍ）、ワーク鍵（Ｋｗ）、スクランブル鍵（Ｋｓ）の３種類の鍵と暗号化を行うことから、三重鍵方式と呼ばれる。
【００１３】
図１に示すように、放送局１は、契約者個々の契約内容を記した契約情報が記憶されている契約情報記録手段２からの契約情報と、ワーク鍵（Ｋｗ）が記憶されているワーク鍵（Ｋｗ）記憶手段３からのワーク鍵（Ｋｗ）とを多重器４で多重する。この多重したものを、暗号化回路６にて、マスタ鍵（Ｋｍ）が記憶されているマスタ鍵（Ｋｍ）記憶手段５からのマスタ鍵（Ｋｍ）を用いて暗号化する。こうしてＥＭＭ（Ｅｎｔｉｔｌｅｍｅｎｔ＿Ｍａｎａｇｅｍｅｎｔ＿Ｍｅｓｓａｇｅ、個別情報）と呼ばれる契約情報を作成する。このＥＭＭ情報は、スクランブラ１１によってスクランブル化されたコンテンツ情報とともに、放送波に載せて全受信装置に向けて送信される。
【００１４】
また放送局１は、チャネルや放送する番組の情報を記した番組情報が記憶された番組情報記憶手段７からの番組情報と、スクランブル鍵（Ｋｓ）が記憶されたスクランブル鍵（Ｋｓ）手段８からのスクランブル鍵（Ｋｓ）とを多重器９で多重し、これを暗号化回路１０にてワーク鍵（Ｋｗ）記憶手段３からのワーク鍵（Ｋｗ）を用いて暗号化する。こうしてＥＣＭ（Ｅｎｔｉｔｌｅｍｅｎｔ＿Ｃｏｎｔｒｏｌ＿Ｍｅｓｓａｇｅ、共通情報）と呼ばれる契約情報を作成する。
【００１５】
このＥＣＭ情報も多重器１２によって放送される。
【００１６】
受信装置１３は、放送局１から放送された放送信号を、分離機１５によってコンテンツを分離してデスクランブラ２２によってデスクランブルし番組を視聴可能とする。ここで実際にデスクランブラに用いるＥＭＭ情報とＥＣＭ情報を処理するのはＩＣカード１４である。
【００１７】
放送局１が有するマスタ鍵（Ｋｍ）記憶手段５には、個々の契約者が持つＩＣカード１４ごとに異なるマスタ鍵（Ｋｍ）が記憶されており、これによって他の契約受信装置宛に送信されたＥＭＭは解釈できず、契約受信装置が自分宛に送信されたＥＭＭのみ解釈できるようにしている。
【００１８】
ＩＣカード１４では、マスタ鍵（Ｋｍ）記憶手段５’に記憶された自分のマスタ鍵（Ｋｍ）を用いて、ＥＭＭを暗号復号回路１６で復号する。そして分離器１７にて内容を解析した結果、正しく復号できたもの、つまり自分宛に届いたＥＭＭについてのみ、復号された自分の契約情報を契約情報記憶手段２’へ、ワーク鍵（Ｋｗ）をワーク鍵記憶手段（Ｋｗ）３’へ分離して格納する。
【００１９】
なお、ＩＣカード１４内のマスタ鍵（Ｋｍ）記憶手段５’に記憶されたマスタ鍵（Ｋｍ）は更新されることはない。ＥＭＭの送信頻度、つまり契約情報とワーク鍵（Ｋｗ）の更新頻度は１ヶ月から数年である。ワーク鍵（Ｋｗ）そのものは、すべてのＩＣカード１４に対して同じ値が用いられる。
【００２０】
これも放送波に載せて全受信装置に向けて送信され、最終的にそれを受け取るのは、受信装置１３と共に用いるＩＣカード１４である。さらに放送局１は、スクランブルされていない、映像・音声・サービスデータなど契約者に提供する内容すなわちコンテンツを、スクランブル鍵記憶手段８’に記憶されているスクランブル鍵を用いてスクランブラ１１にてスクランブルを施した後、放送波に載せて全受信装置に向けて送信する。
【００２１】
ＩＣカード１４では、ＥＣＭを自分の持っているワーク鍵（Ｋｗ）を用いて暗号復号回路１８で復号し、分離器１９にて内容を解析した結果、正しく復号できたもの、つまり自分宛に届いたＥＣＭについてのみ、復号された番組情報とスクランブル鍵（Ｋｓ）を分離してそれぞれ番組情報記憶手段７’及びスクランブル鍵記憶手段８’に格納する。この時点で、あらかじめ契約情報記憶手段２’に取得済の契約情報の内容と、今取得した番組情報の内容とを契約内容照合回路２０にて照らし合わせ、この番組を視聴する契約が締結されていることが確認できた場合は、開閉器２１を閉じて今取得したスクランブル鍵（Ｋｓ）をＩＣカード１４から受信装置１３のデスクランブラ２２に与える。
【００２２】
デスクランブラ２２では分離器１５から得られるスクランブル済コンテンツを、ＩＣカード１４によって供与・更新されたスクランブル鍵（Ｋｓ）を用いてスクランブルを解除し、最終的にスクランブルが掛かっていないコンテンツを得る。
【００２３】
番組を視聴する契約の締結が確認できなければ、開閉器２１を開いてスクランブル鍵（Ｋｓ）をＩＣカードから出力しないようにし、結果、デスクランブラ２２ではスクランブル済コンテンツに掛けられたスクランブルを解除することができないようにする。
【００２４】
なお、番組情報記憶手段７’に記憶された情報には、その番組が放送されるチャネルの情報も含まれ、更新頻度は通常、番組ごとである。スクランブル鍵（Ｋｓ）記憶手段８’は解読対策のため頻繁に変える必要があるので、その更新頻度は通常、１秒程度とされる。スクランブル鍵（Ｋｓ）は全受信装置１３のスクランブラ２２に対して同じ値が用いられ、３つの鍵、Ｋｍ、Ｋｗ、Ｋｓの内、唯一、暗号化されていない値としてＩＣカード１４の外部に
現れる。
【００２５】
図２は、本発明の受信装置の模式的なブロック図を示したものである。図１では、受信装置１３とＩＣカード１４との間では、ＥＭＭ、ＥＣＭ、暗号復号済のスクランブル鍵（Ｋｓ）は別々の信号経路として描かれているが、実際には図２に示すように、これら３つの信号は単一の双方向通信経路としてＩＣカード端子２３を介し、まとめてやりとりされる。コントローラ２４は、分離器１５からＥＭＭまたはＥＣＭが入力されたら、これをＩＣカード１４に送信すべく、送受信インタフェース２５に与える。送受信インタフェース２５はこれを受け、ＥＭＭまたはＥＣＭをＩＣカード１４との通信信号に変換し、ＩＣカード端子２３を介してＩＣカード１４に送信する。
【００２６】
ＩＣカード１４では、暗号復号済のスクランブル鍵（Ｋｓ）をＩＣカード端子２３を介して送受信インタフェース２５に出力する。送受信インタフェース２５はこれを受け、信号変換の後、コントローラ２４に出力する。コントローラ２４は信号変換および暗号復号済のスクランブル鍵（Ｋｓ）をデスクランブラ２２に設定する。ちなみに、ＩＣカード端子２３を介して行われる信号は、ＪＩＳ  Ｘ  ６３０４−１９９６によって規格化され、その仕様は公開されている。
【００２７】
一般に、ＩＣカード１４に格納される契約情報には複数の番組やチャネルの視聴契約内容が併せて記述されており、これによって複数の限定受信対象番組やチャネルを切り替えて視聴する際でも、１枚のＩＣカード１４によって事足りるようになっている。
【００２８】
また、受信装置１３は、ＩＣカード端子２３と送受信インタフェース２５との間にジャンクション回路２６が接続されている。このジャンクション回路２６から受信装置１３の筐体外部へは、信号経路をブリッジ端子２７を介してジャンクション回路２６と接続されるようになっている。
【００２９】
図３、受信装置３０、４０をブリッジ端子３７及びブリッジ端子４７を介して２台接続した例である。このとき受信装置３０には、ＩＣカード１４を装着する。２台目の受信装置４０には、ＩＣカードを装着しない。１台目の受信装置３０と２台目の受信装置４０とは、１台目の受信装置のブリッジ端子３７と、２台目の受信装置のブリッジ端子４７とを介して接続されている。
【００３０】
図４は、ジャンクション回路２６の働きを示したフローチャートである。
【００３１】
Ｓｔｅｐ＿０は待機状態である。この状態で、送受信インタフェース２５またはブリッジ端子２７から、ＥＭＭまたはＥＣＭを受信すると、まずその発信が送受信インターフェース２５から或いはブリッジ端子２７からかを確認する（Ｓｔｅｐ＿２）。送受信インタフェース２５からのものであるならＳｔｅｐ＿３へ、ブリッジ端子２７からのものであるならＳｔｅｐ＿１５に進む。
【００３２】
Ｓｔｅｐ＿３では、当該のジャンクション回路２６と接続されているＩＣカード端子２３にＩＣカード１４が装着されているかどうかを確認する。装着されていればＳｔｅｐ＿４へ、されていなければＳｔｅｐ＿１１に進む。
【００３３】
Ｓｔｅｐ＿４では、応答が予想される送信を既にジャンクション回路２６が行っていてなおかつその応答を待っている状態であるかどうかを確認する。応答待ちであるならＳｔｅｐ＿５にて応答待ちが解除されるまで待ち、そうでなければＳｔｅｐ＿６に進む。
【００３４】
Ｓｔｅｐ＿６では、ジャンクション回路２６が受けたのはＥＭＭかＥＣＭかのどちらであるかを確認し、ＥＭＭであれば、ＩＣカード１４へＥＭＭを送信（Ｓｔｅｐ＿１０）し、Ｓｔａｒｔの待機状態（Ｓｔｅｐ＿０）に戻る。ＥＣＭであれば、それをＩＣカード１４へ送信し、その応答待ち状態に入る（Ｓｔｅｐ＿７）。
【００３５】
応答待ち状態では、ＩＣカード１４からの応答が帰ってくるまでは新たにＩＣカード１４に向けて別のＥＭＭやＥＣＭの送信は行わない。つまり、ＩＣカード１４が同時に処理するのは常に一つのＥＭＭまたはＥＣＭだけであり、並列処理することはない。ＩＣカード１４からの応答を受信する（Ｓｔｅｐ＿８）と、ジャンクション回路２６はその応答を送受信インタフェース２５へ送信（Ｓｔｅｐ＿９）し、Ｓｔａｒｔの待機状態（Ｓｔｅｐ＿０）に戻る。
【００３６】
Ｓｔｅｐ＿３にて、当該のジャンクション回路２６と接続されているＩＣカード端子２３にＩＣカード１４が装着されていなかった場合は、これを他の受信装置に装着されたＩＣカード１４に処理を移すべくブリッジ端子２７を経由して送信する。その前にＳｔｅｐ＿１１にて、受信したのはＥＭＭかＥＣＭかを確認する。ＥＭＭであった場合、これは既にＩＣカード１４が装着された他の受信装置によって送信済であると考えられるので、破棄してＳｔａｒｔの待機状態（Ｓｔｅｐ＿０）に戻る。
【００３７】
Ｓｔｅｐ＿１１にて、受信されたのがＥＣＭであった場合は、ブリッジ端子２７へＥＣＭを送信して応答待ち状態に入る（Ｓｔｅｐ＿１２）。この状態では、新たにブリッジ端子２７やＩＣカード端子２３にＥＭＭやＥＣＭを送信しない。ブリッジ端子２７からの応答を受信する（Ｓｔｅｐ＿１３）と、ジャンクション回路２６はその応答を送受信インタフェース２５へ送信（Ｓｔｅｐ＿１４）し、Ｓｔａｒｔの待機状態（Ｓｔｅｐ＿０）に戻る。
【００３８】
Ｓｔｅｐ＿２にて、発信元がブリッジ端子２７である場合はＳｔｅｐ＿１５に進み、当該のジャンクション回路２６と接続されているＩＣカード端子２３にＩＣカード１４が装着されているかどうかを確認する。装着されていなければ、受信したＥＭＭなりＥＣＭなりは処理をすべきＩＣカード１４が送信元の受信装置にも、当該のジャンクション回路２６を持つ受信装置にも、のどちらにも存在しないわけであるから、破棄してＳｔａｒｔの待機状態（Ｓｔｅｐ＿０）に戻る。ＩＣカード１４が装着されていればＳｔｅｐ＿１６に進む。
【００３９】
Ｓｔｅｐ＿１６では、応答が予想される送信を既にジャンクション回路２６が行っていてなおかつその応答を待っている状態であるかどうかを確認する。応答待ちであるならＳｔｅｐ＿１７にて応答待ちが解除されるまで待ち、そうでなければＳｔｅｐ＿１８に進む。
【００４０】
Ｓｔｅｐ＿１８では、ジャンクション回路２６が受けたのはＥＭＭかＥＣＭかのどちらであるかを確認し、ＥＭＭであれば、これは既に当ジャンクション回路２６によって送信済であると考えられるので、破棄してＳｔａｒｔの待機状態（Ｓｔｅｐ＿０）に戻る。ＥＣＭであれば、それをＩＣカード１４へ送信し、その応答待ち状態に入る（Ｓｔｅｐ＿１９）。
【００４１】
応答待ち状態では、ＩＣカード１４からの応答が帰ってくるまでは新たにＩＣカード１４に向けて別のＥＭＭやＥＣＭの送信は行わない。ここでも、ＩＣカード１４が同時に処理するのは常に一つのＥＭＭまたはＥＣＭだけであり、並列処理することはない。ＩＣカード１４からの応答を受信する（Ｓｔｅｐ＿２０）と、ジャンクション回路２６はその応答をブリッジ端子２７へ送信（Ｓｔｅｐ＿２１）し、Ｓｔａｒｔの待機状態（Ｓｔｅｐ＿０）に戻る。
【００４２】
実際には、ＩＣカード１４と受信装置２８の送受信インタフェース２５との通信には、一塊の信号の発信のたびにインクリメンタルなＩＤ番号を振っており、この順序が狂うとＩＣカード１４は正常な応答を返さないようになっているため、ジャンクション回路２６ではＩＣカード端子２３に信号を出す際（Ｓｔｅｐ＿７、Ｓｔｅｐ＿１０、Ｓｔｅｐ＿１２、Ｓｔｅｐ＿１９）にこの番号がインクリメンタルになるようにＩＤ番号を一旦振りなおし、ＩＣカードから応答を受信した後にそれを送受信インタフェース２５またはブリッジ端子２７に中継送信する際（Ｓｔｅｐ＿９、Ｓｔｅｐ＿１４、Ｓｔｅｐ＿２１）に、それぞれの応答信号に応じて、振りなおしたＩＤ番号を元のＩＤ番号に戻すという機能が必要になる。
【００４３】
本発明においては、複数の信号を並列に送受信することはないのでその機能はごく簡単な
ロジック回路で済み、各ＩＣカードと受信装置との間の認証を行う回路に比べて、大幅に簡素化できる。
【００４４】
図３の装置構成では、Ｓｔｅｐ＿０  →  Ｓｔｅｐ＿１  →  Ｓｔｅｐ＿２  →  Ｓｔｅｐ＿３  →  Ｓｔｅｐ＿４  →（Ｓｔｅｐ＿５  →）  Ｓｔｅｐ＿６  →  Ｓｔｅｐ＿７  →  Ｓｔｅｐ＿８  →  Ｓｔｅｐ＿９の経路か、Ｓｔｅｐ＿０  →  Ｓｔｅｐ＿１  →  Ｓｔｅｐ＿２  →  Ｓｔｅｐ＿３  →  Ｓｔｅｐ＿４  →（Ｓｔｅｐ＿５  →）  Ｓｔｅｐ＿６  →  Ｓｔｅｐ＿１０の経路か、Ｓｔｅｐ＿０  →  Ｓｔｅｐ＿１→  Ｓｔｅｐ＿２  →  Ｓｔｅｐ＿１５  →  Ｓｔｅｐ＿１６  →（Ｓｔｅｐ＿１７  →）Ｓｔｅｐ＿１８の経路か、Ｓｔｅｐ＿０  →  Ｓｔｅｐ＿１  →  Ｓｔｅｐ＿２  →  Ｓｔｅｐ＿１５  →Ｓｔｅｐ＿１６  →（Ｓｔｅｐ＿１７  →）  Ｓｔｅｐ＿１８  →  Ｓｔｅｐ＿１９  →  Ｓｔｅｐ＿２０→  Ｓｔｅｐ＿２１の経路かの、４通りしかしない。
【００４５】
２台目の受信装置４０のジャンクション回路４５の働きは図４のＳｔｅｐ＿０  →  Ｓｔｅｐ＿１  →  Ｓｔｅｐ＿２  →  Ｓｔｅｐ＿３  →Ｓｔｅｐ＿１１の経路か、Ｓｔｅｐ＿０  →  Ｓｔｅｐ＿１  →  Ｓｔｅｐ＿２  →  Ｓｔｅｐ＿３  →Ｓｔｅｐ＿１１  →Ｓｔｅｐ＿１２  →  Ｓｔｅｐ＿１３  →  Ｓｔｅｐ＿１４の経路かの、２通りしかない。
【００４６】
もし仮に１台目の受信装置３０と２台目の受信装置４０の両方にＩＣカード１４が装着された場合、１台目の受信装置３０のジャンクション回路３５と、２台目の受信装置４０のジャンクション回路４５がまず最初に受信するＥＭＭなりＥＣＭなりは、必ずそれぞれの送受信インタフェース３５および送受信インタフェース４５からであるから、図４のＳｔｅｐ＿２からは必ずＳｔｅｐ＿３へ、Ｓｔｅｐ＿３からは必ずＳｔｅｐ＿４に進むから、ブリッジ端子３７およびブリッジ端子４７は使用されることがなく、１台目の受信装置３０と２台目の受信装置４０は互いに全く独立して動作する。
【００４７】
また仮に１台目の受信装置３０と２台目の受信装置４０の両方にＩＣカード１４が装着されていない場合、まず１台目の受信装置３０と２台目の受信装置４０のそれぞれのジャンクション回路３５ならびにジャンクション回路４５の働きは、図４のＳｔｅｐ＿２では必ずＳｔｅｐ＿３へ、Ｓｔｅｐ＿３からは必ずＳｔｅｐ＿１１に進み、双方のブリッジ端子３７ならびにブリッジ端子４７に信号が現れる。
【００４８】
すると、次は図４のＳｔｅｐ＿２では必ずＳｔｅｐ＿１５へ、Ｓｔｅｐ＿１５では、必ず「ＮＯ」となるので、結局は処理をすべきＩＣカード１４が見つけられずに終わる。
【００４９】
このようにすれば、１枚のＩＣカード１４に割り当てられた複数の視聴契約を、２台の受信装置で別々に利用することができる。
【００５０】
この発明では、ＩＣカード１４が単位時間当たりに処理するＥＣＭの量は、ＩＣカードを別々に契約する場合に比べて約２倍になるが、一般にＩＣカード１４の処理時間には数倍以上のマージンが設けられており、２倍程度の処理増加では問題ない。
【００５１】
また、ブリッジ端子を介して両受信装置間で交わされる信号の内容は、単一のＩＣカード１４と単一の受信装置１３との間で交わされる信号の内容と基本的に変わらず、ＩＣカード１４と受信装置３０ならびに受信装置４０との間で認証を行うような新たな付加情報は一切必要としないため、その処理に必要な回路が省けてコストの増大を抑えることができ、また処理時間の増大も抑えられる。
【００５２】
さらに、ＩＣカード１４がＩＣカード端子３６に装着されている受信装置３０と、ＩＣカード１４がＩＣカード端子４６に装着されていない受信装置４０との間は、両受信装置に設けられたブリッジ端子３７とブリッジ端子４７とを介して接続されるが、ここを流れる信号はＩＣカード１４とＩＣカード端子３６との間に流れる信号と信号本数・信号レベル・通信プロトコルなどが同一か、またはジャンクション回路３５とジャンクション回路４５とでそれにさらなる簡単な変換を加えたものとするため、限定受信関連情報が不正に利用される危険性は、いささかも増大しない。
【００５３】
加えて、本発明では既に供用され使用されている現在のＩＣカードをそのまま利用できる。
【図面の簡単な説明】
【００５４】
【図１】本発明の放送受信装置を説明するための模式的ブロック図である。
【図２】本発明の放送受信装置を説明するための模式的ブロック図である。
【図３】本発明の放送受信装置を説明するための模式的ブロック図である。
【図４】本発明の放送受信装置の動作状態を説明するフローチャートである。
【符号の説明】
【００５５】
１：放送局
２：契約情報
３：ワーク鍵
４：ワーク鍵（Ｋｗ）と契約情報の多重器
５：マスタ鍵
６：ワーク鍵（Ｋｗ）と契約情報の暗号化回路（ＥＭＭ生成）
７：番組情報
８：スクランブル鍵（Ｋｓ）
９：スクランブル鍵（Ｋｓ）と番組情報の多重器
１０：スクランブル鍵（Ｋｓ）と番組情報の多重器の暗号化回路（ＥＣＭ生成）
１１：スクランブラ
１２：スクランブル済コンテンツとＥＭＭとＥＣＭの多重器
１３：受信装置
１４：ＩＣカード
１５：スクランブル済コンテンツとＥＭＭとＥＣＭの分離器
１６：ワーク鍵（Ｋｗ）と契約情報の暗号復号回路（ＥＭＭ解釈）
１７：暗号復号済のワーク鍵（Ｋｗ）と契約情報の分離器
１８：スクランブル鍵（Ｋｓ）と番組情報の多重器の暗号復号回路（ＥＣＭ解釈）
１９：暗号復号済のスクランブル鍵（Ｋｓ）と番組情報の分離器
２０：契約内容照合回路
２１：開閉器
２２：デスクランブラ
２３：ＩＣカード端子
２４：コントローラ
２５：送受信インタフェース
２６：ジャンクション回路
２７：ブリッジ端子
２８：（欠番）
２９：（欠番）
３０：１台目の受信装置
３１：１台目の受信装置のスクランブル済コンテンツとＥＭＭとＥＣＭの分離器
３２：１台目の受信装置のデスクランブラ
３３：１台目の受信装置のコントローラ
３４：１台目の受信装置の送受信インタフェース
３５：１台目の受信装置のジャンクション回路
３６：１台目の受信装置のＩＣカード端子
３７：１台目の受信装置のブリッジ端子
３８：（欠番）
３９：（欠番）
４０：１台目の受信装置
４１：１台目の受信装置のスクランブル済コンテンツとＥＭＭとＥＣＭの分離器
４２：１台目の受信装置のデスクランブラ
４３：１台目の受信装置のコントローラ
４４：１台目の受信装置の送受信インタフェース
４５：１台目の受信装置のジャンクション回路
４６：１台目の受信装置のＩＣカード端子
４７：１台目の受信装置のブリッジ端子
【図１】
2005079860.tif 000003
【図２】
2005079860.tif 000004
【図３】
2005079860.tif 000005
【図４】
2005079860.tif 000006